(57)【要約】  モジュール式流量監視パッケージ（ＭＦＭＰ）が、添加剤送達システムで使用するために提供される。ＭＦＭＰは、既存の添加剤送達システムに追加するアドオンとして製造するか、カートリッジまたは容器構造に組み込むことができる。ＭＦＭＰには、ベース流体の流量を検知する流量センサーと、１つ以上のユーザーが作動する添加剤流量調整レバーの位置を検知するユーザーアクチュエータ位置センサーとが含まれている。マルチカラーＬＥＤのアレイを備え得る視覚ディスプレイは、添加剤送達システムのユーザーの使用またはユーザーの栄養ニーズに関連する情報をユーザーに伝達することができる。このような情報には、送達中の添加剤の現在の投与量、添加剤の推奨投与量が消費されたかどうか、カートリッジまたは添加剤供給の残存期間、および健康またはパフォーマンス監視に関するその他のデータが含まれ得る。【選択図】図４
2020514195.tif 000002
【特許請求の範囲】
【請求項１】
添加剤送達システムの添加剤流量を監視および制御するためのモジュール式流量監視パッケージであって、前記システムが、カートリッジからベース流体に添加される添加剤の量を制御するための少なくとも１つのユーザー作動制御を含み、前記パッケージが、
前記ベース流体の流れを検知するための流量センサーと、
前記ユーザー作動制御の位置を検知するための位置センサーと、
前記ベース流体の流れと前記ユーザー作動制御の位置とに基づいて、推奨投与量関連情報をユーザーに表示するための視覚インジケータと、を備える、パッケージ。
【請求項２】
前記視覚インジケータが、少なくとも１つのＬＥＤを備えている、請求項１に記載のパッケージ。
【請求項３】
前記カートリッジの終末期を示す終末期インジケータをさらに備える、請求項１に記載のパッケージ。
【請求項４】
前記流量センサーが、ベース流体流路に配置された磁気タービンと、前記磁気タービンの回転を検知するためのホール効果センサーとを備える、請求項１に記載のパッケージ。
【請求項５】
添加剤送達システムであって、
ベース流体の流れを許容するベース液流路と、
ベース液がベース液流路を通して流れる際に、前記ベース液と混合される添加剤の流れを許容する添加剤流路と、
前記添加剤の流量を測定するための流量測定装置と、
前記ベース流体に添加される添加剤投与量を調節することをユーザーに許可する流量調整装置と、
前記添加剤に関する情報を前記ユーザーに伝達するためのユーザーインターフェースと、を備えるシステム。
【請求項６】
前記ユーザーインターフェースが、添加剤の所定の消費が達成されたかどうかを示すための視覚ディスプレイを含む、請求項５に記載の添加剤送達システム。
【請求項７】
前記ユーザーインターフェースが、添加剤供給の残存期間を示す視覚ディスプレイが含む、請求項５に記載の添加剤送達システム。
【請求項８】
前記ユーザーインターフェースが、複数の個別の光学インジケータを備える、請求項５に記載の添加剤送達システム。
【発明の詳細な説明】
【技術分野】
【０００１】
優先権主張および関連出願の参照
２０１７年２月２２日に提出された送達システムと題された米国仮出願第６２／４６２，３１０に基づいて、適用されるすべての法律、条約、協定および規制に基づいて優先権が主張される。その出願に記載されている主題は、その全体が参照により本明細書に組み込まれている。本出願の要素または主題または、前述の仮出願の説明、特許請求の範囲または図面の一部が本出願に別段に含まれていない場合、その要素、主題または一部は、本出願の目的のために参照により本出願に組み込まれる。該当するすべての規則、手順、または法律
【０００２】
本開示は、飲料および他の製品の分配および送達システムに関する。本開示はさらに、香味料、濃縮物またはサプリメントなどの添加物が交換可能なカートリッジで提供され、ベース流体が容器から分配および／または消費されるときに、水などのベース流体と混合される、分配および送達システムに関する。ここにおいて、添加剤がベース流体供給と混合するのを防ぐためにベース流体の一方向の流れが提供され、したがって、異なる添加剤送達システムで使用されてもよい。本開示はさらに、ベース流体と混合される添加剤の量のユーザー調整を提供する分配および送達システムに関する。本開示はさらに、分配中にベース流体と混合される添加剤投与量のユーザー監視および制御を可能にするためのユーザーインターフェースおよびユーザーインターフェース機能に関する。本開示はさらに、性別、身長、体重、遺伝的構成、水分補給および電解質レベル、過去の栄養および運動情報、およびスマートフォン、フィットネストラッカー、スマートデバイスなどから提供されるリアルタイム活動の情報など、これらに限定されない種々の入力に基づいて、添加剤分配におけるユーザーの意思決定を導くためのシステムおよび方法に関する。本開示はさらに、例えば、人間による運動および他の活動のパフォーマンスを向上させるために、栄養用途における添加剤投与量調整機能を利用する方法に関する。
【背景技術】
【０００３】
容器から分配される際の流れにユーザーが調整した添加剤の流れを提供するための添加剤送達システムは一般的に知られている。そのようなシステムは、飲料の混合に適用でき、水などのベース流体に添加される香味料などの添加剤の供給を保存するための取り外し可能なカートリッジを組み込むことができる。例示的な装置および方法は、２０１７年１０月１９日に公開された「調整可能な添加剤カートリッジシステムおよび方法」と題する米国公開出願第２０１７／０２９６９８８号、および米国特許第９，４９８，０８６号および第９，７９５，２４２号に開示されている。
【０００４】
前述の刊行物に記載されているような、添加剤送達システムのユーザーインターフェースおよび添加剤投与量の監視および制御機能を強化する必要がある。身体活動（運動活動を含む）のために、このようなユーザーインターフェースと添加剤投与量の監視および制御機能を利用して、変化、リアルタイムの栄養ニーズ、および一般的な幸福に関するサポートと推奨を行う必要がある。
【発明の概要】
【０００５】
本開示の一態様によれば、添加剤送達システムで使用するためのモジュール式流量監視パッケージ（ＭＦＭＰ）が提供される。ＭＦＭＰは、既存の添加剤送達システムに追加するアドオンとして製造するか、カートリッジまたは容器構造に組み込むことができる。ＭＦＭＰには、それを通して画定された流路と、内部コンポーネントを保護する外部ハウジングが含むことができる。管は、ハウジング内のフロースルーパスを画定する。管内の流れを検知するための流量監視装置が設けられ、ハウジング内に収容され内部回路基板に取り付けられたホール効果センサーおよび支持回路と協働する磁気タービンを備えてもよい。内部電源と誘導充電回路とをＭＦＭＰに組み込むことができる。誘導充電回路は、ハウジングの外壁内またはそのすぐ内側に延びるワイヤコイルを含んでもよい。コイルは、空芯巻線またはプリント回路基板の外径の周りに配線されてプリント回路コイルを形成するプリント回路コイルであり得る。ＭＦＭＰには、１つ以上のユーザーが作動する添加剤流量調整レバーまたは他の構造の位置を検知するためのユーザーアクチュエータ位置センサーも含まれている。単一のデジタル磁気センサーを使用して、これらの磁場をマッピングし、各位置と位置の可能性とに基づいてフィードバックに注目することにより、３つすべての磁気の位置を検知することもできる。マルチカラーＬＥＤのアレイを含み得る視覚ディスプレイはＭＦＭＰに組み込まれ、ＭＦＭＰが添加剤送達システムの設置位置にあるときにユーザーに見えるように、その上壁に表示され得る。視覚ディスプレイは、添加剤送達システムのユーザーの使用またはユーザーの栄養ニーズに関連する情報をユーザーに伝達してもよい。とはいえ、個々のＬＥＤの他のディスプレイテクノロジーを組み込んで、そのような位置フィードバックを可能にすることができることを説明する。この情報は、モバイルアプリケーションを介して示すこともできる。このような情報には、送達中の添加剤の現在の投与量、添加剤の推奨投与量が消費されたかどうか、カートリッジまたは添加剤供給の残存期間、および健康またはパフォーマンス監視に関するその他のデータが含まれ得る。ＭＦＭＰは、ベース流体に供給されている複数の添加剤および対応する数の添加剤カートリッジを監視するように適合させることができる。さらに、用量のタイプは手動で選択できるか、任意でパッケージＩＤ、製造年月日、識別および認証のための日付および製品のタイプによる使用を読み取るＲＦＩＤリーダーで検出できる。この情報は、表示されるパッケージ情報に関連するＡＴＭＥＬ  ＴＫ５５５１  ＲＦＩＤトランスポンダーと同様にパスワードで保護される。
【０００６】
別の態様によれば、ＭＦＭＰは外部デバイスおよびシステムと通信して、ユーザー体験を向上させてもよい。このようなデバイスには、スマートフォン、運動器具、心拍数および血圧モニター、フィットネストラッカー、およびコンピューター装備の運動器具などの「スマート」デバイスが含まれ得る。製品が表示してはならない、または表示できない追加のモバイル情報が表示される場合がある。表示され得る情報には、一定期間の総投与量、消費アキュムレーター、および投与量アキュムレーターが含まれます。関連する投与量情報は、個人プロファイル、水分補給および電解質レベル、過去の栄養および運動情報、リアルタイムの活動情報と組み合わせて利用して、ユーザーに合わせた投与量の推奨事項を作成できる。スマートフォンアプリケーションまたはコンピューティングプラットフォーム用の他のアプリケーションを使用して、ＭＦＭＰとのユーザーインタラクションを促進できる。このアプリケーションの使用事例は、定期的にサイクリングに参加する個人であり得る。速度、ピーク出力、カバーされる距離、心拍数、乳酸産生（フィットネストラッカー、車載自転車コンピューター、およびその他のスマートデバイスで測定）を含むパフォーマンスデータを測定し、これを同じ期間の添加剤データ（例えば電解質投与量など）と比較することにより、最適な電解質の投与量との相関関係を取得し、アプリケーションを介してユーザーに中継することができる。
【０００７】
別の態様によれば、ＭＦＭＰを利用する推奨システムは、ユーザーのリアルタイムの水分補給と栄養ニーズを決定するための入力として多数のデータセットを受け入れ、ユーザーが身体活動に従事しているときにリアルタイムでの添加剤投与量の推奨を行うことができる。
【図面の簡単な説明】
【０００８】
本発明の上記および他の付随する利点および特徴は、添付の図面とともに以下の詳細な説明から明らかになるであろう。図面では、全体を通して同様の参照番号は同様の要素を表す。説明および実施形態は、例示的な例として意図されており、添付の特許請求の範囲に記載されている本発明の範囲を限定することを意図していないことが理解されよう。
【０００９】
【図１】図１は、本発明の適用に適した例示的なディスペンサ環境の正面分解図である。
【図２】図２は、本発明の一態様によるＭＦＭＰを含む例示的な内部添加剤送達システムの正面組立図である。
【図３】図３は、本発明の一態様によるＭＦＭＰの適用に適したデュアルカートリッジ添加剤送達システム環境の上面図である。
【図４】図４は、図３のデュアルカートリッジ添加剤送達システムの正面図である
【図５】図５は、本発明の態様による例示的なＭＦＭＰの断面図である。
【図６】図６は、例示的なＭＦＭＰの上面図である。
【図７】図７は、本発明の態様によるＭＦＭＰを利用するためのシステムの概略図である。
【図８】図８は、本発明の態様による例示的なＭＦＭＰの添加剤レベル、充電容量、および終末期状態を示すための例示的なユーザーインターフェースの詳細である。
【図９】図９は、本発明の態様によるＭＦＭＰの例示的な論理フローのフロー図である。
【図１０】図１０は、本発明の態様によるＭＦＭＰを利用するシステムで監視または入力可能な例示的なデータフィールドの表現である。
【図１１】図１１は、本発明の態様によるシステムで利用することができる体重だけでなく、毎日の活動、カロリー摂取量、消費カロリーの例示的なデータセットを示す。
【図１２】図１２は、本発明の態様によるシステムで利用することができる歩行速度または走行速度の関数として消費されるエネルギー（カロリー）の例示的なデータセットを示す。
【図１３】図１３は、本発明の態様による、スマートフォン上の投薬アプリケーションのユーザーインターフェースディスプレイを示す。
【図１４】図１４は、本発明の態様によるスマートフォン上のダイエットアプリケーションのユーザーインターフェースディスプレイを示す。
【図１５】図１５は、本発明の態様による、スマートフォン上のフレーバーおよび水分補給アプリケーションのユーザーインターフェースディスプレイを示す。
【図１６】図１６は、本発明の態様による最良のパフォーマンスのために収集された全体的な統計およびデータを表示することができるアプリケーションのユーザーインターフェースディスプレイを示す。
【発明を実施するための形態】
【００１０】
図１は、本発明の態様によるＭＦＭＰの適用に適した例示的なディスペンサ環境１０の正面分解図である。飲料水ボトルなどのディスペンサは、ベース流体（水）を収容するための内部容積を画定する容器本体１２と、注ぎ口１６を有するねじ込み式キャップ１４とを含むことができる。さらに図２を参照すると、添加剤送達システム１００は、ディスペンサ環境１０と協働して関連付けられてもよい。添加剤送達システム１００は、ベース流体を上向きに、および吸気管１０４の周りに配置された環状カートリッジ１０２を通して伝達するための吸気管１０４を含むことができる。カートリッジは、その内部にポート（図２には示されていない）を含むことができ、これは、添加剤をバット１０４内の混合ゾーンに伝える。カートリッジ１０２の回転位置は、ベース流体が吸気管１０４内を流れる際にベース流体に添加される添加剤の量を調整するために、後述する方法でアクチュエータを使用するユーザーによって調整され得る。本発明の態様によれば、モジュール式流量監視パッケージ（ＭＦＭＰ）２００は、添加剤のユーザーモニタリングおよび制御を強化するために、添加剤送達システム１００と協働して関連付けられてもよい。添加剤の投与量を監視すること。
【００１１】
図３および４は、本発明の態様によるＭＦＭＰの使用に適した環境であり得る例示的なデュアルカートリッジ添加剤送達システムの詳細を示す。図３は上面図であり、図４は正面図である。第１および第２のカートリッジ１０２．１および１０２．２は、吸気管１０４に対して同心円状に配置された円筒形の環状容器であってもよい。それぞれは、ポート１２６．１および１２６．２を有し、内部空間からベース流体と混合するためにそれぞれの添加剤が吸気管に流れることを可能にする。カートリッジ１０２．１および１０２．２からの添加剤のそれぞれの流れは、同心円状に下方に延びる環状ステム１２４．１および１２４．２に取り付けられ、カートリッジ１０２．１および１０２．２のそれぞれのポートと選択的に整列するように画定されたポートを有することができる制御アーム１２０．１および１２０．２で制御され得る。したがって、制御アーム１２０．１および１２０．２の回転運動は、カートリッジ１０２．１および１０２．２から吸気管内のベース流体の流路への添加剤のそれぞれの流れの調整をもたらし得る。制御アームは、それらが存在する密閉ハウジング２１０の外側からそれらの作動／運動を制御できるようにするための磁気要素１２２．１および１２２．２を含むことができる。カートリッジ１０２．１および１０２．２には、ＲＦＩＤタグ、バーコード、またはＭＦＭＰに対するカートリッジタイプ、フレーバータイプ、日付、およびその他の有用な情報を識別できるその他の電子的に保存された情報を含む、機械可読識別情報が提供されてもよい。適切な読み取りコンポーネントをＭＦＭＰに組み込んで、機械可読識別情報を読み取ることができる。
【００１２】
図５は、例示的なＭＦＭＰ２００のさらなる詳細を示す断面図である。磁気タービンであり得る流量測定装置２３０は、管１０４内の流体の流れに応じて回転運動するように中央に配置され、取り付けられてもよい。ホール効果センサー２４０を取り付けて、タービン２３０の回転速度を検出し、管１０４内のベース流体の流量を表すデータを取得することができる。バッテリなどの電源２５０は、ＭＦＭＰ２００の内部コンポーネントを動作させるための電気エネルギーを提供し、このＭＦＭＰ２００は、ハウジング２１０内に密閉することができる。回路基板２４５は、バッテリ２５０、センサー２４０、ならびにマイクロプロセッサ、メモリ、視覚インジケータのドライバ、およびハウジング内部の外部の受信機と通信するための無線コンポーネントを含み得るサポート電子機器をサポートし得る。ＲＦＩＤリーダーを含み得るカートリッジリーダーも、使用されている１つ以上のカートリッジの識別を検知するために回路基板上に存在し得る。誘導充電コイル２１１は、電源２５０の誘導充電を可能にするために、ハウジング２１０の外壁内または外壁に隣接して設置されてもよい。
【００１３】
図６は、例示的なＭＦＭＰの上面図であり、これは、ハウジングの外側から、およびユニットが添加剤送達システムに設置されたときに、ユーザーに見えるように取り付けられた多数の視覚インジケータ２２５を含む。ハウジング２１０の上壁は、内部回路基板に取り付けられ得る視覚インジケータの視認を可能にするために、汚れのない、透明な材料で作られ得る。制御アーム１２０．１および１２０．２の回転位置を検知するために、それぞれの検知磁石１２７．１および１２７．２が含まれてもよい。視覚インジケータは、多色であり得るＬＥＤなどの複数の個別の光源など、各カートリッジのインジケータセット（図６に示すセットごとに４つ）２２５．１および２２５．２を含み得る。説明されるように、インジケータセット２２５．１および２２５．２は、各カートリッジに対する添加剤投与量に関する情報をユーザーに伝える。電源２５０の充電レベルを示す充電インジケータ２２７を含む他のインジケータが存在してもよい。カートリッジのＥＯＬを示すために、それぞれの終末期（ＥＯＬ）インジケータ２２９．１および２２９．２を各カートリッジインジケータセットに関連付けることができる。
【００１４】
図７は、本発明の態様によるＭＦＭＰを利用するためのシステムの概略図である。例示的なＭＦＭＰのコンポーネントは、ボックス２００に示されている。この実装では、３つのカートリッジを使用でき、かつ３つのカートリッジを添加剤送達システムのＭＦＭＰで監視できる。中央のマイクロプロセッサベースの制御システム２６０は、不揮発性メモリと加速度計とを含み、タービン２３０の回転速度を誘導的に検知するホールセンサー２４０と、アクチュエーターアーム位置センサー１２７．１、１２７．２、１２７．３とから入力を受け取ることができる。制御システム２６０は、無線インターフェース２６４および無線誘導充電器２１１、ならびに視覚インジケータセット２２５も制御する。
【００１５】
本発明の態様によれば、ＭＦＭＰ２００は、無線インターフェース２６４を介して運動器具、フィットネストラッカーおよび自転車コンピューターとインターフェースすることができる。無線インターフェース２６４はまた、適切なアプリケーションの直接無線通信を実行して、またはクラウドもしくは広域ネットワークを介して、スマートフォンとの対話を可能にする。カートリッジデータはＲＦＩＤを介して読み取ることができ、コイルはプリント回路基板上にある。各カートリッジには、特定のタイプおよび製品データを備えたＲＦＤチップが搭載されている場合がある。用量のベンチュリ位置は磁気的に追跡される。センサーと電子機器を本質的に分離することにより、信頼性と使いやすさとを実現する超音波で密閉された防水電子機器パッケージを設計できる。
【００１６】
図８は、状態を示し、添加剤の消費および投与量を推奨する視覚インジケータセットのパターンの例示的なセットを示す。点滅インジケータは、ユーザーが消費する必要があることを示すために使用できる。通信言語が、あなたの活動レベルに対する推奨投与量を表示する。終末期、推奨用量、および現在の用量を示すことにより、過去のパフォーマンスと現在の活動に基づいて用量の挙動を修正できる。この例では、現在の推奨を点滅として表示しているが、現在の設定をソリッドと同時に表示することもできる。ディスプレイは、寿命の％を示すことにより、カートリッジの寿命を表示するようにも設計されている。これらの同じガスゲージタイプのインジケータを使用して、充電の状態（残り０〜１００％のバッテリ寿命）と充電状態（０〜１００％の充電率）を表示できる。
【００１７】
図９は、論理フローの例を示している。ＭＦＭＰは通常、ステップ９０２でデフォルトでスリープモードになり得る。９０４で動きが検出された場合、ロジックはステップ９０６に進み、そうでない場合、ロジックは９０２にループする。９０６で、カートリッジ識別子が読み取られ、メモリに格納されたプロファイルから混合比設定が読み取られることができ、体積などの累積値、消費カロリーが更新されることができ、ＥＯＬパーセンテージが計算され、バッテリーレベルが検知される。９０８で、消費流れをチェックし、累積値と比率とを更新するために監視ループが開始される。９１０で、ロジックはＥＯＬフラグが示されているかどうかをチェックする。これは、既知の添加剤供給と比較される添加剤の累積値によって決定される。はいの場合、９１２で、視覚インジケータが起動されて、所与のカートリッジのＥＯＬを示し、ロジックはステップ９１４に進む。９１０でＥＯＬのフラグが立てられていない場合、ロジックは決定９１４に直接進む。９１４で、ロジックはタイマーと消費モードが望ましいかどうかをチェックする。この時点で、アラームと通知とをトリガーする決定が行われる。タイマーは、用量設定に関連する流れと消費時間に基づいている。比較データは、ＲＦＩＤデータを介して持ち込まれたアプリケーション上で事前設定、設定できる。消費量テーブルをカートリッジに入れて、新しいカートリッジが取り付けられるとリセットされるのが理想的である。流量を使用するアキュムレーターの使用、およびｕＬまたはｍＬに変換されたときの用量タイマーアキュムレーターが使用表の値よりも大きい場合、終末期が示される。そうである場合、９１６のインジケータを使用して推奨が行われ、通知フラグがモバイルデバイスおよび／またはクラウドに送信される。９１８で、通信が中断されたかどうかのチェックが行われる。９２０で、システムはクラウドまたはモバイルデバイスとインターフェースして、プロファイル、使用データおよび推奨を更新し、ユニットの充電インジケータが充電中であることを表示する。９２２で、ＥＥＰＲＯＭなどのアキュムレーターで新しい値が更新される。用量、流量、および流れる時間は、終末期の比較のために累積される。この累積値は、データの損失を防ぐために２つの場所に保存され、使用するたびに不揮発性メモリで更新される。これらのアキュムレーターは、全体の流量、用量カウンターによる流量、およびカートリッジアキュムレーターの全体的な使用（流量、経時的な用量を使用）でも使用され、１ドリンクあたりの使用量をｕＬまたはｍＬにする。
【００１８】
図１０は、本発明の態様によるＭＦＭＰを利用するシステムで監視または入力可能な例示的なデータセットの表現である。ユーザープロファイルデータセットには、身長、体重、性別、年齢、ＩＤ体重、身長、性別、年齢、ＩＤ、フィットネスグレード、体重グレード、心臓の健康グレード、ＢＭＩ、ファストマス、除脂肪量、ダイエット、食事記録、運動記録、個人フィードバック記録、筋肉量の履歴、体脂肪の履歴が含まれてもよい。ボトル使用プロファイルには、保存された優先混合比、添加剤製品の種類、ＡＢＣ比による消費アキュムレーター、全体消費、傾斜時間、活動、使用間隔、平均使用時間が含まれてもよい。運動器具プロファイルには、ＲＭＰ、ステップ数、トルク、高度、傾斜率、キロワット時、必要なピークエネルギー、平均エネルギー、温度、マイル、使用時間、担当者、連続運動時間、および費やしたＫＷＨなど、所与の運動器具のパラメーターが含まれてもよい。ウェアラブルプロファイルには、活動、ステップ、心拍数、連続活動時間、全体的な活動時間、最大心拍数、安静時心拍数が含まれてもよい。モバイルアプリケーションまたはクラウドサービスベースのアプリケーションである可能性があるシステムアグリゲーターは、最適な消費、推奨消費率、最適な混合、電解質レベル、タンパク質およびカロリー摂取の推奨事項を生成するための入力としてデータセットを受け取ることがある。また、アグリゲーターは、使用および最適なパフォーマンス、体力テストとの比較、最高のパフォーマンス曲線、パフォーマンス強化の機会などに関するレポートを生成する、またはユーザーが生成することを許可することもできる。
【００１９】
加速度計を使用する場合、デバイス自体がウォーキングゲートとランニングゲートとを追跡し、この情報を利用してモバイルデバイスに関連付けることができる。
【００２０】
図１１は、本発明の態様によるシステムで利用することができる、体重だけでなく、毎日の活動、カロリー摂取量、および消費カロリーの例示的なデータセットを示す。
【００２１】
図１２は、本発明の態様によるシステムで利用することができる、歩行速度または走行速度の関数として消費されるエネルギー（カロリー）の例示的なデータセットを示す。
【００２２】
図１３は、本発明の態様によるスマートフォン上の動的スポーツアプリケーションのユーザーインターフェースディスプレイを示す。このアプリケーションには、概要画面（左）、推奨画面（中央）、および履歴結果画面（右）が表示できる。
【００２３】
図１４は、本発明の態様による、スマートフォン上の薬物送達アプリケーションのユーザーインターフェースディスプレイを示す。このアプリケーションには、概要画面（左）と推奨画面（右）とが表示できる。
【００２４】
図１５は、本発明の態様による、スマートフォン上のダイエット管理アプリケーションのユーザーインターフェースディスプレイを示す。このアプリケーションでは、概要画面（左）と推奨画面（右）とが表示できる。
【００２５】
本発明の態様によると、ユーザーインターフェースディスプレイは、スマートフォン上にフレーバーおよび水分補給アプリケーションも含み得る。
【００２６】
図１６は、本発明の態様による最良のパフォーマンスのために収集された全体的な統計およびデータを表示することができるアプリケーションのユーザーインターフェースディスプレイを示す。
【００２７】
本発明の様々な態様における他の変形および修正の実施は当業者には容易に明らかであり、本発明は本明細書に記載の特定の実施形態に限定されないことを理解されたい。したがって、本発明により、添付の特許請求の範囲の精神および範囲内に含まれるありとあらゆる修正、変形、または等価物を網羅することが企図される。
【図１】
2020514195.tif 000003
【図２】
2020514195.tif 000004
【図３】
2020514195.tif 000005
【図４】
2020514195.tif 000006
【図５】
2020514195.tif 000007
【図６】
2020514195.tif 000008
【図７】
2020514195.tif 000009
【図８】
2020514195.tif 000010
【図９】
2020514195.tif 000011
【図１０】
2020514195.tif 000012
【図１１】
2020514195.tif 000013
【図１２】
2020514195.tif 000014
【図１３】
2020514195.tif 000015
【図１４】
2020514195.tif 000016
【図１５】
2020514195.tif 000017
【図１６】
2020514195.tif 000018
【国際調査報告】
2020514195.tif 000019